(57)【要約】【課題】  ユーザのニーズに応じて、チャンネル選択時の受信方向決定の処理を複数の動作モードで実行できる放送受信装置およびそれを備えたテレビを提供する。【解決手段】  ユーザがチャンネルを選択した場合に、制御部１０は、予め設定された自動または手動モードに応じて、選択されたチャンネルに対応する受信方向を検索候補の中から決定する。また、検索候補には、予め全受信方向または格納された受信方向のいずれかを設定できる。自動モードでは、制御部１０は、検索候補の中から受信方向を順次選択し、受信可能な受信方向を決定する。手動モードでは、ユーザは、表示画面を確認しながら受信方向を決定する。【選択図】        図７
2006042182.tif 000002
【特許請求の範囲】
【請求項１】
指向性を切換えることにより放送信号の受信可能方向を変更できる受信アンテナに対して、選択した受信方向の指令信号を出力する指令手段と、
前記受信アンテナを介して受信する複数のチャンネルを含む放送信号の中から、選択したチャンネルに対応する放送信号を抽出する選局手段と、
前記選局手段から受けたテレビ放送信号を信号処理する処理手段と、
情報を表示するための信号を生成する表示信号生成手段と、
ユーザからの指令を受付ける入力手段と、
制御手段とを備え、
前記制御手段は、
記憶手段と、
テレビ放送に割当てられる複数のチャンネルの中から視聴可能なチャンネルおよび受信方向を取得する取得手段と、
選択されたチャンネルに対して、受信方向候補の中から受信方向を検索して決定する自動決定手段と、
選択されたチャンネルに対して、ユーザからの指令に応じて前記受信方向候補の中から受信方向を選択して決定する手動決定手段と、
ユーザからの指令に応じて、チャンネル選択時に前記自動決定手段における処理または前記手動決定手段における処理のいずれを実行させるかを選択する第１のモード選択手段と、
ユーザからの指令に応じて、前記受信アンテナの受信方向または前記取得手段において取得された受信可能な受信方向のいずれを前記受信方向候補とするかを選択する第２のモード選択手段と、
前記第１および第２のモード選択手段におけるそれぞれの選択状況を表示する第１の表示手段とを含み、
前記取得手段は、
前記テレビ放送に割当てられる複数のチャンネルの中から１つのチャンネルを順次選択するチャンネル選択手段と、
前記チャンネル選択手段における選択チャンネルに対して、前記受信アンテナの受信方向の中から受信方向を順次選択する第１の方向選択手段と、
前記第１の方向選択手段における選択受信方向に対して、前記放送信号を受信できたか否かを前記処理手段から受けた情報に基づいて判定する第１の判定手段と、
前記第１の判定手段において前記放送信号を受信可能と判定されたチャンネルおよび受信方向を前記記憶手段に格納する格納手段と、
前記チャンネル選択手段においてすべてのチャンネルを選択するまで、前記第１の方向選択手段、前記第１の判定手段および前記格納手段における各処理を繰返し実行させる検索手段とを含み、
前記自動決定手段は、
前記第２のモード選択手段において選択された受信方向候補の中から受信方向を順次選択する第２の方向選択手段と、
前記第２の方向選択手段における選択受信方向に対して、前記放送信号を受信できたか否かを前記処理手段から受けた情報に基づいて判定する第２の判定手段と、
前記第２の判定手段において前記放送信号を受信可能と判定された受信方向を前記選択チャンネルに対する受信方向と決定する第１の決定手段とを含み、
前記手動決定手段は、
前記第２のモード選択手段において選択された受信方向候補の中からユーザからの指令に応じて受信方向を選択する第３の方向選択手段と、
前記第３の方向選択手段における選択受信方向を表示する第２の表示手段と、
前記第３の方向選択手段においてユーザが所望する受信方向を前記選択チャンネルに対する受信方向と決定する第２の決定手段とを含む、放送受信装置。
【請求項２】
指向性を切換えることにより放送信号の受信可能方向を変更できる受信アンテナに対して、選択した受信方向の指令信号を出力する指令手段と、
前記受信アンテナを介して受信する複数のチャンネルを含む放送信号の中から、選択したチャンネルに対応する放送信号を抽出する選局手段と、
前記選局手段から受けた放送信号を信号処理する処理手段と、
外部からの指令に応じて設定された動作モードに従って、選択されたチャンネルに対する受信方向を決定する制御手段とを備え、
前記制御手段は、
選択されたチャンネルに対して、受信方向候補の中から受信方向を順次選択し、前記処理手段から受けた情報に基づいて受信できたか否かを判断し、受信可能な受信方向を決定する第１の手段と、
選択されたチャンネルに対して、外部からの選択指令に応じて前記受信方向候補の中から受信方向を選択し、外部からの決定指令に応じて受信方向を決定する第２の手段と、
外部からの指令に応じて、チャンネル選択時に前記第１の手段における処理または前記第２の手段における処理のいずれを実行させるかを選択する第３の手段と、
外部からの指令に応じて、前記受信アンテナの受信方向またはあらかじめ取得された受信方向のいずれを前記受信方向候補とするかを選択する第４の手段とを含む、放送受信装置。
【請求項３】
前記制御手段は、前記第３および第４の手段におけるそれぞれの選択状況を表示する信号を生成する手段をさらに含む、請求項２に記載の放送受信装置。
【請求項４】
前記制御手段は、前記第２の手段において選択される受信方向を表示する信号を生成する手段をさらに含む、請求項２または３に記載の放送受信装置。
【請求項５】
放送に割当てられる複数のチャンネルの中からあらかじめ視聴可能なチャンネルおよび受信方向を取得して記憶領域に格納する手段をさらに備える、請求項２〜４のいずれか１項に記載の放送受信装置。
【請求項６】
請求項１〜５のいずれか１項に記載の放送受信装置を備えたテレビ。
【発明の詳細な説明】
【技術分野】
【０００１】
この発明は放送受信装置およびそれを備えたテレビに関し、特に指向性の切換えが可能なアンテナを使用する放送受信装置およびそれを備えたテレビに関するものである。
【背景技術】
【０００２】
テレビ放送には、ＶＨＦ（Very High Frequency）およびＵＨＦ（Ultra High Frequency）の周波数帯域が割当てられている。一般的に、テレビ放送の信号受信には八木アンテナが用いられる。
【０００３】
八木アンテナは、反射器、放射器および導波器で構成されており、反射器の働きにより導波器側へ強い指向性を有し、利得も大きいといった長所がある。
【０００４】
良好な受信ができるように、八木アンテナは、その指向性が放送局の方向と一致するように設置される。一般的に、アンテナは家屋の屋根等に固定して設置されるので、一旦設置されてしまうと、その指向性を変更することは容易ではない。
【０００５】
そのため、複数の放送局が分散して存在している場合には、その指向性に応じた特定の方向にある放送局の放送信号しか受信できなかった。
【０００６】
そこで、指向性を複数種類に切換えて、分散して存在する各放送局からの電波を受信できるスマートアンテナが考案されている。
【０００７】
このスマートアンテナは、複数のアンテナ素子で構成され、各アンテナ素子を適当な振幅および位相により励振することで指向性を切換えることができる。
【０００８】
したがって、上述のスマートアンテナを用いることで、放送局が分散して存在している場合でも各放送局からの電波が受信可能となる。
【０００９】
特許文献１には、複数の八木アンテナに対して位相差給電を行うことで、指向性を変更できるアンテナが示されている。
【００１０】
また、特許文献２には、リモコンによるチャンネル選択によって、当該チャンネルに対応するようにアンテナの指向性を調整するアンテナ切換器が示されている。
【特許文献１】特開平１１−３３０８４０号公報
【特許文献２】特開２００１−１６８６２７号公報
【発明の開示】
【発明が解決しようとする課題】
【００１１】
放送受信装置は、ユーザフレンドリーの観点からテレビ放送に割当てられているチャンネル群の中から、実際に視聴可能なチャンネルを検索して自動割付を行う、いわゆるオートスキャン機能を備えている。
【００１２】
スマートアンテナを用いた放送受信装置においては、オートスキャン時にチャンネルの他に受信方向についても検索が行われ、受信可能なチャンネルとそのチャンネルに対応する受信方向が取得されるが、記憶領域を最小化する目的から、チャンネルのみが記憶領域に格納される。
【００１３】
そのため、チャンネル選択時にそのチャンネルに対応する受信方向を決定する必要がある。
【００１４】
ユーザフレンドリーの観点からは、自動的に受信可能な受信方向を検索して決定する機能を備える放送受信装置が望まれる。
【００１５】
一方、放送受信装置が受信可否を判断するためには、受信された放送信号を信号処理して判断する必要があり、ユーザが表示される映像を見て瞬時に判断する場合と比べて時間を要する。そのため、受信方向決定の迅速化の観点からは、ユーザが受信方向を選択し、表示される映像を見て所望の受信方向を決定できる機能を備える放送受信装置が望まれる。
【００１６】
また、最適な受信方向を決定する観点からは、スマートアンテナの全受信方向の中から受信方向を決定することが望まれる。
【００１７】
一方、スマートアンテナの受信方向が増加すると、受信方向決定までの時間がかかるようになる。そのため、受信方向決定の迅速化の観点からは、可能性のある受信方向候補の中から受信方向を決定することが望まれる。
【００１８】
このようなさまざまなニーズに応じて受信方向決定の機能を切換えられる放送受信装置はこれまで存在しなかった。
【００１９】
そこで、この発明は、かかる問題を解決するためになされたものであり、その目的は、ユーザのニーズに応じて、チャンネル選択時の受信方向決定の処理を複数の動作モードで実行できる放送受信装置およびそれを備えたテレビを提供することである。
【課題を解決するための手段】
【００２０】
この発明によれば、指向性を切換えることにより放送信号の受信可能方向を変更できる受信アンテナに対して、選択した受信方向の指令信号を出力する指令手段と、受信アンテナを介して受信する複数のチャンネルを含む放送信号の中から、選択したチャンネルに対応する放送信号を抽出する選局手段と、選局手段から受けたテレビ放送信号を信号処理する処理手段と、情報を表示するための信号を生成する表示信号生成手段と、ユーザからの指令を受付ける入力手段と、制御手段とを備える放送受信装置である。制御手段は、記憶手段と、テレビ放送に割当てられる複数のチャンネルの中から視聴可能なチャンネルおよび受信方向を取得する取得手段と、選択されたチャンネルに対して、受信方向候補の中から受信方向を検索して決定する自動決定手段と、選択されたチャンネルに対して、ユーザからの指令に応じて受信方向候補の中から受信方向を選択して決定する手動決定手段と、ユーザからの指令に応じて、チャンネル選択時に自動決定手段における処理または手動決定手段における処理のいずれを実行させるかを選択する第１のモード選択手段と、ユーザからの指令に応じて、受信アンテナの受信方向または取得手段において取得された受信可能な受信方向のいずれを受信方向候補とするかを選択する第２のモード選択手段と、第１および第２のモード選択手段におけるそれぞれの選択状況を表示する第１の表示手段とを含む。取得手段は、テレビ放送に割当てられる複数のチャンネルの中から１つのチャンネルを順次選択するチャンネル選択手段と、チャンネル選択手段における選択チャンネルに対して、受信アンテナの受信方向の中から受信方向を順次選択する第１の方向選択手段と、第１の方向選択手段における選択受信方向に対して、放送信号を受信できたか否かを処理手段から受けた情報に基づいて判定する第１の判定手段と、第１の判定手段において放送信号を受信可能と判定されたチャンネルおよび受信方向を記憶手段に格納する格納手段と、チャンネル選択手段においてすべてのチャンネルを選択するまで、第１の方向選択手段、第１の判定手段および格納手段における各処理を繰返し実行させる検索手段とを含む。自動決定手段は、第２のモード選択手段において選択された受信方向候補の中から受信方向を順次選択する第２の方向選択手段と、第２の方向選択手段における選択受信方向に対して、放送信号を受信できたか否かを処理手段から受けた情報に基づいて判定する第２の判定手段と、第２の判定手段において放送信号を受信可能と判定された受信方向を選択チャンネルに対する受信方向と決定する第１の決定手段とを含む。手動決定手段は、第２のモード選択手段において選択された受信方向候補の中からユーザからの指令に応じて受信方向を選択する第３の方向選択手段と、第３の方向選択手段における選択受信方向を表示する第２の表示手段と、第３の方向選択手段においてユーザが所望する受信方向を選択チャンネルに対する受信方向と決定する第２の決定手段とを含む。
【００２１】
また、この発明によれば、指向性を切換えることにより放送信号の受信可能方向を変更できる受信アンテナに対して、選択した受信方向の指令信号を出力する指令手段と、受信アンテナを介して受信する複数のチャンネルを含む放送信号の中から、選択したチャンネルに対応する放送信号を抽出する選局手段と、選局手段から受けた放送信号を信号処理する処理手段と、外部からの指令に応じて設定された動作モードに従って、選択されたチャンネルに対する受信方向を決定する制御手段とを備える放送受信装置である。制御手段は、選択されたチャンネルに対して、受信方向候補の中から受信方向を順次選択し、処理手段から受けた情報に基づいて受信できたか否かを判断し、受信可能な受信方向を決定する第１の手段と、選択されたチャンネルに対して、外部からの選択指令に応じて受信方向候補の中から受信方向を選択し、外部からの決定指令に応じて受信方向を決定する第２の手段と、外部からの指令に応じて、チャンネル選択時に第１の手段における処理または第２の手段における処理のいずれを実行させるかを選択する第３の手段と、外部からの指令に応じて、受信アンテナの受信方向またはあらかじめ取得された受信方向のいずれを受信方向候補とするかを選択する第４の手段とを含む。
【００２２】
好ましくは、制御手段は、第３および第４の手段におけるそれぞれの選択状況を表示する信号を生成する手段をさらに含む。
【００２３】
好ましくは、制御手段は、第２の手段において選択される受信方向を表示する信号を生成する手段をさらに含む。
【００２４】
好ましくは、放送に割当てられる複数のチャンネルの中からあらかじめ視聴可能なチャンネルおよび受信方向を取得して記憶領域に格納する手段をさらに備える。
【００２５】
また、この発明によれば、上述の放送受信装置を備えたテレビである。
【発明の効果】
【００２６】
この発明によれば、ユーザは、煩わしい受信方向決定操作が不要なモードと、ユーザ自身の操作により短時間で受信方向を決定できるモードのいずれかを選択できるため、ニーズに合わせて受信方向が決定できる。
【００２７】
また、この発明によれば、最適な受信方向を決定できるように全受信方向を候補とするモードと、短時間で受信方向を決定できるように受信可能となった受信方向を候補とするモードのいずれかを選択できるため、ニーズに合わせて受信方向が決定できる。
【００２８】
また、この発明によれば、画面上で確認しながら動作モードの設定を行えるため、ユーザは容易に操作ができる。
【００２９】
また、この発明によれば、ユーザ自身の操作により受信方向を決定する場合に、画面上で確認しながら受信方向の選択を行えるため、ユーザは容易に操作ができる。
【発明を実施するための最良の形態】
【００３０】
この発明の実施の形態について、図面を参照しながら詳細に説明する。なお、図中の同一または相当部分については、同一符号を付してその説明は繰返さない。
【００３１】
この発明の実施の形態においては、チャンネルが選択された場合に、ユーザにより選択された動作モードに応じて受信方向を決定するデジタルテレビ放送の放送受信装置について説明する。
【００３２】
チャンネル選択時における受信方向決定モードとして、受信可能な受信方向を自動的に検索して決定する「自動決定モード」、またはユーザが自身の選択により受信方向を決定する「手動決定モード」が選択される。
【００３３】
さらに、上述の「自動決定モード」および「手動決定モード」のいずれにおいても、受信方向候補の中から受信方向が決定される。
【００３４】
ユーザは、スマートアンテナの全受信方向を受信方向候補とする「全方向モード」、またはオートスキャンで取得された受信方向を受信方向候補とする「取得方向モード」を選択できる。
【００３５】
したがって、上述した２つのモードの組合せにより、ユーザは合計４つの動作モードを選択できる。
【００３６】
図１は、この発明の実施の形態に従う放送受信装置の概略構成図である。
【００３７】
図１を参照して、この発明の実施の形態に従う放送受信装置１は、スマートアンテナ３０から放送信号を受信し、スマートアンテナ３０に対して受信方向切換信号を出力する。また、放送受信装置１は、テレビ４０に対して映像信号および音声信号を出力する。さらに、放送受信装置１は、リモコン４２から指令信号を受信する。
【００３８】
スマートアンテナ３０は、放送受信装置１から受信方向切換信号を受けて、各アンテナ素子に対する励振を変化させて指向性を切換える。
【００３９】
テレビ４０およびリモコン４２は、周知であるので詳細な説明は省略する。
【００４０】
放送受信装置１は、制御部１０と、チューナ１６と、デジタルデコーダ１８と、ＯＳＤ（On Screen Display）２０と、ＭＰＥＧデコーダ２２と、受信方向切換部２４と、リモコン受信部２６とからなる。
【００４１】
制御部１０は、プログラムを実行するＣＰＵ（Central Processing Unit）１０ａと、実行されるプログラム、プログラム実行中のデータ、およびプログラム実行結果のデータを記憶するメモリ１０ｂとからなる。
【００４２】
チューナ１６は、受信した放送信号の中から、制御部１０からの指令に応じて選択されたチャンネルに対応する放送信号を抽出して、デジタルデコーダ１８へ出力する。
【００４３】
デジタルデコーダ１８は、チューナ１６から放送信号を受けて、映像および音声の信号であるＭＰＥＧ信号に復号し、そのＭＰＥＧ信号をＭＰＥＧデコーダ２２へ出力する。
【００４４】
ここで、デジタルテレビ放送信号は、リード・ソロモン符号および畳み込み符号で符号化されて送信される。そのため、デジタルデコーダ１８は、上述の復号処理において誤り訂正ができる。この誤り訂正の処理過程において、デジタルデコーダ１８は、受信した放送信号の受信データ誤り率を演算し、その受信データ誤り率を制御部１０へ出力する。このとき、デジタルデコーダ１８は、受信した放送信号に含まれる所定のデータ数毎に誤り訂正を行うので、受信開始から１フレーム（１／３０秒）以内で受信データ誤り率の演算ができる。
【００４５】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信されるため、誤り訂正が可能であり、その処理過程において受信データ誤り率が演算できる。したがって、この発明の実施の形態におけるデジタルデコーダ１８は、上述のいずれの方式を用いてもよい。
【００４６】
ＯＳＤ２０は、制御部１０からの指令に応じて、テレビ４０の画面上に情報を表示するための信号を生成して、ＭＰＥＧデコーダ２２へ出力する。
【００４７】
ＭＰＥＧデコーダ２２は、デジタルデコーダ１８から受けたＭＰＥＧ信号とＯＳＤ２０が生成した信号とを合成した後、映像信号および音声信号に復号してテレビ４０へ出力する。
【００４８】
受信方向切換部２４は、制御部１０からの指令に応じて、受信方向切換信号をスマートアンテナ３０へ出力する。
【００４９】
リモコン受信部２６は、リモコン４２からの指令を受信して制御部１０へ出力する。ユーザは、所望の動作を行わせるためリモコン４２を用いて、指令を送信する。
【００５０】
実施の形態では、スマートアンテナ３０は、指向性を切換えることにより水平面に対して１６分割された各方向に受信方向を変更できるとして説明する。
【００５１】
図２は、この発明の実施の形態に従うスマートアンテナ３０の受信方向切換図である。簡単化のため、図２に示すように時計回りに１，２，・・・，１６と各受信方向に番号付けを行う。
【００５２】
まず、オートスキャンを実行して、放送に割当てられているチャンネルの中から視聴可能なチャンネルおよび受信方向を取得する処理について説明する。
【００５３】
図３は、この発明の実施の形態に従うオートスキャンを実行するプログラムのフローチャートである。
【００５４】
図３を参照して、制御部１０は、テレビ放送に割当てられているチャンネルの中から先頭のチャンネルを選択する（ステップＳ１０）。
【００５５】
次に、制御部１０は、先頭の受信方向を選択する（ステップＳ１２）。すなわち、制御部１０は、図２に示す受信方向「１」を選択する。
【００５６】
受信方向切換部２４は、受信方向「１」への切換信号をスマートアンテナ３０へ出力する。スマートアンテナ３０は、受信方向切換部２４から受信方向切換信号を受けて、各アンテナ素子に対する励振を変化させて指向性を切換える。
【００５７】
また、チューナ１６は、スマートアンテナ３０から受信した放送信号の中から、制御部１０からの指令に応じて選択された先頭のチャンネルに対応する放送信号を抽出して、デジタルデコーダ１８へ出力する。デジタルデコーダ１８は、チューナ１６から放送信号を受けて、ＭＰＥＧ信号に復号する。また、デジタルデコーダ１８は、受信データ誤り率の演算を行い、その受信データ誤り率を制御部１０へ出力する。
【００５８】
制御部１０は、受信可否を判断するため、受信データ誤り率が規定値以下か否かを判断する（ステップＳ１４）。実施の形態においては、一例として規定値を１０％として、受信データ誤り率が１０％以下であれば、受信可能と判断する。
【００５９】
受信データ誤り率が規定値を超えている場合（ステップＳ１４においてＮＯの場合）には、制御部１０は、最後の受信方向が選択されているか否かを判断する（ステップＳ１６）。すなわち、制御部１０は、図２に示す受信方向「１６」を選択しているか否かを判断する。
【００６０】
最後の受信方向が選択されていない場合（ステップＳ１６においてＮＯの場合）には、制御部１０は、次の受信方向を選択する（ステップＳ１８）。
【００６１】
以下、上述したステップＳ１４，Ｓ１６，Ｓ１８を、ステップＳ１４において受信データ誤り率が規定値以下となるか、またはステップＳ１６において最後の受信方向が選択されるまで繰返す。
【００６２】
受信データ誤り率が規定値以下の場合（ステップＳ１４においてＹＥＳの場合）には、制御部１０は、受信可能と判断して、選択しているチャンネル番号を格納（ステップＳ２０）する。さらに、制御部１０は、選択している受信方向番号を格納する（ステップＳ２２）。
【００６３】
ここで、チャンネル番号と受信方向番号は対応付けて格納される必要はなく、チャンネル格納領域と受信方向格納領域を独立させて設ける。このようにそれぞれを独立されることにより、受信方向格納領域がチャンネル格納領域に比例して増大することを避け、記憶領域の最小化が図られる。
【００６４】
受信方向番号が格納（ステップＳ２２）され、または最後の受信方向が選択された場合（ステップＳ１６においてＹＥＳの場合）には、制御部１０は、最後のチャンネルが選択されているか否かを判断する（ステップＳ２４）。
【００６５】
最後のチャンネルが選択されていない場合（ステップＳ２４においてＮＯの場合）には、制御部１０は、次のチャンネルを選択する（ステップＳ２６）。
【００６６】
以下、上述したステップＳ１２，Ｓ１４，Ｓ１６，Ｓ１８，Ｓ２０，Ｓ２２，Ｓ２４，Ｓ２６を、ステップＳ２４において最後のチャンネルが選択されるまで繰返す。
【００６７】
以上の処理により、放送に割当てられているチャンネルの中から視聴可能なチャンネルが取得され、自動割付けがなされる。また、放送信号を受信可能な受信方向が取得される。
【００６８】
次に、ユーザが所望する動作モードとなるように設定を行う処理について説明する。
【００６９】
図４は、この発明の実施の形態に従う動作モード設定表示画面の一例である。
【００７０】
図４（ａ）は、ユーザからの動作モード設定開始の指令を受けた場合の表示画面の一例である。
【００７１】
図４（ｂ）は、「手動決定モード」を選択した場合の表示画面の一例である。
【００７２】
なお、ユーザフレンドリーの観点から、図４に示す表示画面においては、「自動決定モード」と「手動決定モード」を『自動方向検索ＯＮ』と『自動方向検索ＯＦＦ』に対応させ、「取得方向モード」と「全方向モード」を『おすすめ方向設定ＯＮ』と『おすすめ方向設定ＯＦＦ』に対応させている。
【００７３】
まず、ユーザは、リモコン４２を用いて動作モード設定開始の指令を送信する。すると、リモコン受信部２６がリモコン４２からの指令を受信して制御部１０へ出力する。
【００７４】
制御部１０は、リモコン受信部２６からの指令を受信して、格納している動作モードの設定を読出し、所定の画面を表示するようにＯＳＤ２０に指令を送信する。ＯＳＤ２０は、所定の画面を表示するための信号を生成する。ＭＰＥＧデコーダ２２は、ＯＳＤ２０の作成した信号とデジタルデコーダ１８からの信号とを合成してテレビ４０へ出力する。
【００７５】
すると、図４（ａ）に示すような設定変更の表示が、テレビ４０の画面上に表示される。
【００７６】
次に、ユーザが「手動決定モード」に変更する場合を説明する。
【００７７】
ユーザは、リモコン４２を用いて、『自動方向検索ＯＮ／ＯＦＦ』の項目を選択して『ＯＦＦ』の変更指令を送信する。すると、上述の動作と同様にして、図４（ｂ）に示すような『自動方向検索ＯＮ／ＯＦＦ』が『ＯＦＦ』となった画面が、テレビ４０の画面上に表示される。
【００７８】
さらに、所望の設定となった後に、ユーザは、リモコン４２を用いて決定指令を送信する。すると、リモコン受信部２６がリモコン４２からの指令を受信して制御部１０へ出力する。
【００７９】
制御部１０は、選択されている動作モードを格納し、画面の表示を終了するようにＯＳＤ２０に指令を送信する。
【００８０】
以上のように、ユーザは、表示画面で設定内容を確認しながら、所望の動作モードを設定できる。
【００８１】
図５は、この発明の実施の形態に従う動作モードの設定を受付けるプログラムのフローチャートである。
【００８２】
図５を参照して、制御部１０は、記憶領域から設定内容を読出す（ステップＳ４０）。
【００８３】
制御部１０は、「自動／手動決定モード」について変更を受付けたか否かを判断する（ステップＳ４２）。
【００８４】
「自動／手動決定モード」についての変更を受付けた場合（ステップＳ４２においてＹＥＳの場合）には、制御部１０は、「自動／手動決定モード」の設定を変更する（ステップＳ４４）。
【００８５】
「自動／手動決定モード」の設定が変更（ステップＳ４４）され、または「自動／手動決定モード」についての変更を受付けなかった場合（ステップＳ４２においてＮＯの場合）には、制御部１０は、「全／取得方向モード」について変更を受付けたか否かを判断する（ステップＳ４６）。
【００８６】
「全／取得方向モード」についての変更を受付けた場合（ステップＳ４６においてＹＥＳの場合）には、制御部１０は、「全／取得方向モード」の設定を変更する（ステップＳ４８）。
【００８７】
「全／取得方向モード」の設定が変更（ステップＳ４８）され、または「全／取得方向モード」についての変更を受付けなかった場合（ステップＳ４６においてＮＯの場合）には、制御部１０は、決定指令を受付けたか否かを判断する（ステップＳ５０）。
【００８８】
以下、上述したステップＳ４２，Ｓ４４，Ｓ４６，Ｓ４８，Ｓ５０を、ステップＳ５０において決定指令を受付けるまで繰返す。
【００８９】
決定指令を受付けた場合（ステップＳ５０においてＹＥＳの場合）には、制御部１０は、記憶領域に設定内容を格納する（ステップＳ５２）。
【００９０】
以上の処理により、ユーザの所望する動作モードが設定される。
【００９１】
最後に、ユーザがチャンネルを選択した時の受信方向の決定処理について説明する。
【００９２】
ユーザが上述のオートスキャンにより取得した視聴可能なチャンネルの中からチャンネルを選択すると、上述の動作モードに応じて、チャンネルに対応する受信方向が決定される。
【００９３】
「自動決定モード」が選択されている場合には、制御部１０が受信可能な受信方向を検索して決定する。
【００９４】
図６は、この発明の実施の形態に従う「手動決定モード」における画面表示の一例である。
【００９５】
「手動決定モード」が選択されている場合には、図６に示すようにテレビ４０の画面上に選択受信方向表示１００が表示される。
【００９６】
ユーザはリモコン４２を用いて受信方向選択指令を送信して受信方向を切換えていく。さらに、ユーザの所望する受信方向となったときに、ユーザはリモコン４２を用いて受信方向決定指令を送信して、受信方向が決定される。
【００９７】
図７は、この発明の実施の形態に従う受信方向を決定するプログラムのフローチャートである。
【００９８】
図７を参照して、制御部１０は、ユーザからの指令に応じてチャンネルを選択する（ステップＳ６０）。
【００９９】
制御部１０は、「自動決定モード」が選択されているか否かを判断する（ステップＳ６２）。
【０１００】
「自動決定モード」が選択されている場合（ステップＳ６２においてＹＥＳの場合）には、制御部１０は、「取得方向モード」が選択されているか否かを判断する（ステップＳ６４）。
【０１０１】
「取得方向モード」が選択されている場合（ステップＳ６４においてＹＥＳの場合）には、制御部１０は、オートスキャンで取得した受信方向番号を読出して受信方向候補を作成する（ステップＳ６６）。
【０１０２】
「全方向モード」が選択されている場合（ステップＳ６４においてＮＯの場合）には、制御部１０は、スマートアンテナの全受信方向からなる受信方向候補を作成する（ステップＳ６８）。
【０１０３】
次に、制御部１０は、作成した受信方向候補の先頭の受信方向を選択する（ステップＳ７０）。
【０１０４】
受信方向切換部２４は、制御部１０からの指令に応じて、受信方向切換信号をスマートアンテナ３０へ出力する。スマートアンテナ３０は、受信方向切換部２４から受信方向切換信号を受けて、各アンテナ素子に対する励振を変化させて指向性を切換える。
【０１０５】
デジタルデコーダ１８は、チューナ１６から放送信号を受けて、ＭＰＥＧ信号に復号する。また、デジタルデコーダ１８は、受信データ誤り率の演算を行い、その受信データ誤り率を制御部１０へ出力する。
【０１０６】
制御部１０は、受信可否を判断するため、受信データ誤り率が規定値以下か否かを判断する（ステップＳ７２）。
【０１０７】
受信データ誤り率が規定値を超えている場合（ステップＳ７２においてＮＯの場合）には、制御部１０は、受信方向候補の最後の受信方向が選択されているか否かを判断する（ステップＳ７４）。
【０１０８】
受信方向候補の最後の受信方向が選択されていない場合（ステップＳ７４においてＮＯの場合）には、制御部１０は、受信方向候補の次の受信方向を選択する（ステップＳ７６）。
【０１０９】
以下、上述したステップＳ７２，Ｓ７４，Ｓ７６を、ステップＳ７２において受信データ誤り率が規定値以下となるか、またはステップＳ７４において受信方向候補の最後の受信方向が選択されるまで繰返す。
【０１１０】
制御部１０は、最終的に選択されている受信方向を選択チャンネルに対する受信方向として決定する（ステップＳ７８）。
【０１１１】
また、「手動決定モード」が選択されている場合（ステップＳ６２においてＮＯの場合）には、制御部１０は、「取得方向モード」が選択されているか否かを判断する（ステップＳ８０）。
【０１１２】
「取得方向モード」が選択されている場合（ステップＳ８０においてＹＥＳの場合）には、制御部１０は、オートスキャンで取得した受信方向番号を読出して受信方向候補を作成する（ステップＳ８２）。
【０１１３】
「全方向モード」が選択されている場合（ステップＳ８０においてＮＯの場合）には、制御部１０は、スマートアンテナの全受信方向からなる受信方向候補を作成する（ステップＳ８４）。
【０１１４】
次に、制御部１０は、作成した受信方向候補の先頭の受信方向を選択する（ステップＳ８６）。
【０１１５】
受信方向切換部２４は、制御部１０からの指令に応じて、受信方向切換信号をスマートアンテナ３０へ出力する。スマートアンテナ３０は、受信方向切換部２４から受信方向切換信号を受けて、各アンテナ素子に対する励振を変化させて指向性を切換える。
【０１１６】
制御部１０は、受信方向選択指令を受付けたか否かを判断する（ステップＳ８８）。
【０１１７】
受信方向選択指令を受付けた（ステップＳ８８においてＹＥＳの場合）場合には、選択指令に応じて、制御部１０は、受信方向候補の中から受信方向を選択する（ステップＳ９０）。上述の動作と同様にして、スマートアンテナ３０は、指向性を切換える。
【０１１８】
受信方向が選択（ステップＳ９０）され、または受信方向選択指令を受付けなかった場合（ステップＳ８８においてＮＯの場合）には、制御部１０は、受信方向決定指令を受付けたか否かを判断する（ステップＳ９２）。
【０１１９】
受信方向の決定指令を受付けなかった場合（ステップＳ９２においてＮＯの場合）には、制御部１０は、受信方向選択指令を受付けたか否かを判断する（ステップＳ８８）。
【０１２０】
以下、上述したステップＳ８８，Ｓ９０，Ｓ９２を、ステップＳ９２において受信方向決定指令を受付けるまで繰返す。
【０１２１】
受信方向決定指令を受付けた場合（ステップＳ９２においてＹＥＳの場合）には、制御部１０は、選択されている受信方向を選択チャンネルに対する受信方向として決定する（ステップＳ９４）。
【０１２２】
以上の処理により、ユーザがチャンネルを選択すると、動作モードに応じて受信方向が決定される。
【０１２３】
これにより、「自動決定モード」または「手動決定モード」、および「取得方向モード」または「全方向モード」をそれぞれ選択できるため、ユーザのニーズに対応した処理により受信方向を決定できる。
【０１２４】
また、「取得方向モード」では、事前に受信可能となった受信方向を選択候補とするため効率がよく、短時間で受信方向を決定できる。
【０１２５】
また、動作モードの選択状態および「手動決定モード」時の選択受信方向が画面上に表示されるため、ユーザは、情報を瞬時に把握でき、容易に操作できる。
【０１２６】
なお、上述の実施の形態においては、デジタルテレビ放送について説明したが、アナログテレビ放送についてもオートスキャンは可能であり同様に適用できることは言うまでもない。その場合、アナログテレビ放送に含まれる水平同期信号の捕捉の可否等で受信の可否を判断できる。
【０１２７】
さらに、事前に受信方向候補となる受信方向を取得するためには、オートスキャン機能を用いることに限られず、ユーザが手動で受信可能な受信方向を検索することも可能であり、また、別の受信放送装置により取得された情報を転送等することにより取得してもよい。
【０１２８】
上述の実施の形態においては、受信方向切換部２４は「指令手段」を構成し、チューナ１６は「選局手段」を構成し、デジタルデコーダ１８は「処理手段」を構成し、ＯＳＤ２２は「表示信号生成手段」を構成し、リモコン受信部２６は「入力手段」を構成し、制御部１０は「制御手段」を構成する。
【０１２９】
また、制御部１０は「記憶手段」、「取得手段」、「自動決定手段」、「手動決定手段」、「第１のモード選択手段」、「第２のモード選択手段」および「第１の表示手段」を構成する。
【０１３０】
さらに、制御部１０は「チャンネル選択手段」、「第１の方向選択手段」、「第１の判定手段」、「格納手段」、「検索手段」、「第２の方向選択手段」、「第２の判定手段」、「第１の決定手段」、「第３の方向選択手段」、「第２の表示手段」および「第２の決定手段」を構成する。
【０１３１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１３２】
【図１】この発明の実施の形態に従う放送受信装置の概略構成図である。
【図２】この発明の実施の形態に従うスマートアンテナ３０の受信方向切換図である。
【図３】この発明の実施の形態に従うオートスキャンを実行するプログラムのフローチャートである。
【図４】この発明の実施の形態に従う動作モード設定表示画面の一例である。
【図５】この発明の実施の形態に従う動作モードの設定を受付けるプログラムのフローチャートである。
【図６】この発明の実施の形態に従う「手動決定モード」における画面表示の一例である。
【図７】この発明の実施の形態に従う受信方向を決定するプログラムのフローチャートである。
【符号の説明】
【０１３３】
１  放送受信装置、１０  制御部、１０ａ  ＣＰＵ、１０ｂ  メモリ、１６  チューナ、１８  デジタルデコーダ、２０  ＯＳＤ、２２  ＭＰＥＧデコーダ、２４  受信方向切換部、２６  リモコン受信部、３０  スマートアンテナ、４０  テレビ、４２  リモコン、１００  選択受信方向表示。
【図１】
2006042182.tif 000003
【図２】
2006042182.tif 000004
【図３】
2006042182.tif 000005
【図４】
2006042182.tif 000006
【図５】
2006042182.tif 000007
【図６】
2006042182.tif 000008
【図７】
2006042182.tif 000009